(57)【特許請求の範囲】
【請求項１】
長方形の底壁のうち１対の短辺側の外縁部から上方に突出した１対の第１側壁支持突部に１対の第１側壁が回動可能に連結されると共に１対の長辺側の外縁部から上方に突出した１対の第２側壁支持突部に１対の第２側壁が回動可能に連結され、それら第１と第２の側壁を、前記第１及び第２の側壁支持突部上に起立させた組立状態と、底壁の上に１対の第１側壁を重ねて左右対称に折り畳んでからそれら第１側壁の上に１対の第２側壁を重ねて左右対称に折り畳んだ折畳状態とに変更可能な折畳コンテナーにおいて、
前記各第１側壁は、板状の側壁本体の外面から外面リブを突出形成してなり、
前記各第２側壁の内面のうち前記折畳状態で前記第１側壁に重ならない中間部を内側に突出させて内側張出部とする一方、前記折畳状態で前記第１側壁に重なる両端部を１対の側壁受容凹部とし、それら側壁受容凹部の内面とそれらの鉛直下方の前記第２側壁支持突部の内面とを面一にすると共に、前記第２側壁を補強するための内面補強突部を前記側壁受容凹部の内面から突出させかつ前記折畳状態で前記第１側壁における前記外面リブ同士の間に受容される位置に配置したことを特徴とする折畳コンテナー。
【請求項２】
前記内面補強突部を上下方向に延びた突条構造にして複数横並びに設け、それら隣り合った内面補強突部同士の間の縦溝に、折畳コンテナーの内部空間を長手方向で仕切るための仕切板の両側部を上方から挿入して係合可能としたことを特徴とする請求項１に記載の折畳コンテナー。
【請求項３】
前記両第２側壁における前記内側張出部の内面には、折畳コンテナーの内部空間を長手方向で仕切るための中間仕切板の両側部を上方から挿入して係合可能な仕切溝が形成され、前記内面補強突部同士の間の前記縦溝を、前記第２側壁の上下方向及び厚さ方向で前記仕切溝と同一位置に配置して、前記中間仕切板と前記仕切板とを同一品にしたことを特徴とする請求項２に記載の折畳コンテナー。
【発明の詳細な説明】
【技術分野】
【０００１】
本発明は、長方形の底壁のうち１対の短辺側の外縁部に１対の第１側壁が回動可能に連結されると共に１対の長辺側の外縁部に１対の第２側壁が回動可能に連結され、それら第１と第２の側壁を底壁から起立させた組立状態と、底壁の上に１対の第１側壁を重ねて左右対称に折り畳んでからそれら第１側壁の上に１対の第２側壁を重ねて左右対称に折り畳んだ折畳状態とに変更可能な折畳コンテナーに関する。
【背景技術】
【０００２】
従来、この種の長方形の底壁を備えた折畳コンテナーとして、長辺側の側壁における内面のうち横方向の中間部に横長の補強用突部を形成して補強したものが知られている（例えば、特許文献１参照）。
【特許文献１】特開２００４−３５２３１７号公報（第１図〜第４図）
【発明の開示】
【発明が解決しようとする課題】
【０００３】
ところで、上記した横長の補強用突部を長辺側の側壁における中間部から両端部まで延長すれば、その分、強度アップが図られる。しかしながら、補強用突部を単純に長辺側の側壁の両端部まで延長すると、折畳コンテナーを折畳状態にした際に、補強用突部の突出量分が短辺側の側壁上に積み上げられて、折畳状態における折畳コンテナーの高さが大きくなるという問題が生じる。
【０００４】
本発明は、上記事情に鑑みてなされたもので、折畳状態の高さを抑えて長辺側の側壁の強度を従来より向上させることが可能な折畳コンテナーの提供を目的とする。
【課題を解決するための手段】
【０００５】
上記目的を達成するためになされた請求項１の発明に係る折畳コンテナーは、長方形の底壁のうち１対の短辺側の外縁部から上方に突出した１対の第１側壁支持突部に１対の第１側壁が回動可能に連結されると共に１対の長辺側の外縁部から上方に突出した１対の第２側壁支持突部に１対の第２側壁が回動可能に連結され、それら第１と第２の側壁を、第１及び第２の側壁支持突部上に起立させた組立状態と、底壁の上に１対の第１側壁を重ねて左右対称に折り畳んでからそれら第１側壁の上に１対の第２側壁を重ねて左右対称に折り畳んだ折畳状態とに変更可能な折畳コンテナーにおいて、各第１側壁は、板状の側壁本体の外面から外面リブを突出形成してなり、各第２側壁の内面のうち折畳状態で第１側壁に重ならない中間部を内側に突出させて内側張出部とする一方、折畳状態で第１側壁に重なる両端部を１対の側壁受容凹部とし、それら側壁受容凹部の内面とそれらの鉛直下方の第２側壁支持突部の内面とを面一にすると共に、第２側壁を補強するための内面補強突部を側壁受容凹部の内面から突出させかつ折畳状態で第１側壁における外面リブ同士の間に受容される位置に配置したところに特徴を有する。
【０００６】
請求項２の発明は、請求項１に記載の折畳コンテナーにおいて、内面補強突部を上下方向に延びた突条構造にして複数横並びに設け、それら隣り合った内面補強突部同士の間の縦溝に、折畳コンテナーの内部空間を長手方向で仕切るための仕切板の両側部を上方から挿入して係合可能としたところに特徴を有する。
【０００７】
請求項３の発明は、請求項２に記載の折畳コンテナーにおいて、両第２側壁における内側張出部の内面には、折畳コンテナーの内部空間を長手方向で仕切るための中間仕切板の両側部を上方から挿入して係合可能な仕切溝が形成され、内面補強突部同士の間の縦溝を、第２側壁の上下方向及び厚さ方向で仕切溝と同一位置に配置して、中間仕切板と仕切板とを同一品にしたところに特徴を有する。
【発明の効果】
【０００８】
［請求項１の発明］
請求項１の折畳コンテナーでは、各第２側壁のうち中間部を内側に突出させてなる内側張出部によって第２側壁の中間部の強度アップが図られると共に、第２側壁のうち両端部から突出した内面補強突部によって第２側壁の両端部の強度アップが図られる。そして、折畳コンテナーを折畳状態するために、底壁上に両第１側壁を左右対称に折り畳んでから、それらの上に１対の第２側壁を左右対称に重ねて折り畳むと、各第２側壁のうち中間部を内側に突出させてなる内側張出部が１対の第１側壁同士の間の空間に受容されると共に、内面補強突部が第１側壁における外面リブ同士の間に受容される。これらにより折畳状態の折畳コンテナーの高さを抑えて、長辺側の第２側壁の強度を従来より向上させることができる。
【０００９】
［請求項２の発明］
請求項２の構成によれば、第２側壁を補強するための内面補強突部を仕切板の位置決めにも兼用することができる。
【００１０】
［請求項３の発明］
請求項３の構成によれば、両第２側壁における内側張出部の内面に形成した仕切溝に挿入して係合可能な中間仕切板を、内面補強突部同士の間の縦溝に係合可能な仕切板に兼用可能としたので部品点数の削減が図られる。
【発明を実施するための最良の形態】
【００１１】
［第１実施形態］
以下、本発明の一実施形態を図１〜図１３に基づいて説明する。図１に示すように、本実施形態に係る折畳コンテナー１０は、上面が開放しかつ平面形状が長方形の箱状になっている。また、折畳コンテナー１０は、底壁３０と、その底壁３０における１対の短辺側の外縁部に回動可能に連結された１対の第１側壁１１，１１と、底壁３０における１対の長辺側の外縁部に回動可能に連結された１対の第２側壁２１，２１とからなる。そして、折畳コンテナー１０は、第１及び第２の側壁１１，２１を底壁３０から起立させた組立状態（図１参照）と、第１及び第２の側壁１１，２１を底壁３０の上に重ねて折り畳んだ折畳状態（図１１参照）とに変更可能になっている。
【００１２】
なお、この折畳コンテナー１０の平面形状である長方形の長辺は、短辺の２倍以上の大きさになっている。このような縦横比の折畳コンテナーは、一般に、「長尺型折畳コンテナー」と呼ばれている。
【００１３】
以下、折畳コンテナー１０を構成について詳説する。図１に示すように、底壁３０には、１対の短辺側の外縁部から上方に突出した１対の第１側壁支持突部３１，３１と、１対の長辺側の外縁部から上方に突出した１対の第２側壁支持突部３２，３２とが備えられている。また、各第１側壁支持突部３１の両端部には、第２側壁支持突部３２と同じ高さのコーナー支持壁３４，３４が備えられ、それらコーナー支持壁３４，３４を除いた第１側壁支持突部３１全体が、第２側壁支持突部３２より低くなっている。
【００１４】
第１及び第２の側壁支持突部３１，３２には、それぞれの長手方向に間隔を空けて複数のアーム受容部３５が形成されている。それらのうち第２側壁支持突部３２のアーム受容部３５が図２に拡大して示されている。同図に示すように、このアーム受容部３５は第２側壁支持突部３２の上面と内面とに開口している。アーム受容部３５の上面開口３５Ａは、内面開口３５Ｂに比べ、第２側壁支持突部３２の長手方向の開口幅が広くなっている。そして、その上面開口３５Ａの前記開口幅の中央に内面開口３５Ｂが位置している。また、アーム受容部３５の内部は、上面開口３５Ａの開口幅を同じ或いはそれ以上の幅をなしている。これにより、アーム受容部３５の内部には、第２側壁支持突部３２の内側寄り内面の上端部に、抜け止め突起３５Ｔが形成されている。なお、第１側壁支持突部３１のアーム受容部３５も上記第２側壁支持突部３２のアーム受容部３５と同じ構成になっている。
【００１５】
図１に示すように、第１側壁１１は、側壁本体１１Ｓの外面から外面リブ１１Ｌを突出させた構造になっている。第２側壁２１も同様に板状の側壁本体２１Ｓの外面から外面リブ２１Ｌを突出させた構造になっている。そして、図３及び図４に示すように、第１及び第２の側壁１１，２１の下端面には、各アーム受容部３５に対応させて複数のヒンジアーム２２が形成されている。ヒンジアーム２２は、第１又は第２の側壁１１，２１の下端面から垂下したアーム本体２２Ｈと、そのアーム本体２２Ｈの下端部両側面から突出した１対のヒンジピン２３，２３とからなる。そして、ヒンジピン２３，２３がアーム受容部３５の上面開口３５Ａから内部に受容されかつ、抜け止め突起３５Ｔ，３５Ｔによって抜け止めされている。
【００１６】
第１及び第２の側壁１１，２１を起立させた状態（図１参照）にすると、各ヒンジアーム２２全体は各アーム受容部３５内に受容される。この状態からアーム本体２２Ｈをアーム受容部３５の内面開口３５Ｂ（図２参照）内に進入させながら、第１及び第２の側壁１１，２１を底壁３０上に折り畳むことができる（図１１）。また、各第１側壁１１は、図７に示すように、両第２側壁２１，２１の間に挟まれているので、第１側壁１１を底壁３０上に折り畳んだ後でなければ第２側壁２１を内側に倒すことができないようになっている。
【００１７】
図１に示すように、第２側壁２１の外面リブ２１Ｌは、側壁本体２１Ｓの縁部全体に亘って形成されると共に、第２側壁２１の長手方向の中央で上下方向に延びた状態に形成されている。また、図３に示すように、第２側壁２１の長手方向における両端の内面からは、第１側壁１１に向けてコーナー係合壁２５，２５がそれぞれ突出形成されている。各コーナー係合壁２５は、第２側壁２１の両端縁部全体から張り出した突壁構造をなしている。
【００１８】
図７に示すように、第２側壁２１の上縁部には、内面側に内側段差面２１Ｄが形成されると共に、外面側に外側段差面２１Ｔが形成されている。外側段差面２１Ｔは、第２側壁２１の上縁部における長手方向全体に亘って形成されている。一方、内側段差面２１Ｄは、第２側壁２１の上縁部における長手方向の両端部を除いた全体に亘って形成されている。また、外側段差面２１Ｔ及び内側段差面２１Ｄの間の上端突条２１Ｊにおける両端部は、前記コーナー係合壁２５，２５に直交して繋がっており、その直交部分の内側には、内側段差面２１Ｄから上方に角柱壁２１Ｃが起立している。そして、その角柱壁２１Ｃが上端突条２１Ｊとコーナー係合壁２５との間を連絡して補強している。
【００１９】
図３に示すように、第２側壁２１のうち長手方向の両端部には、ロック片２４がそれぞれ形成されている。ロック片２４は、側壁本体２１Ｓにスリットを形成することで、側壁本体２１Ｓの一部を水平方向に延びた片持ち梁状に切り離してなる。また、各ロック片２４の先端部には、第２側壁２１の内側に向けて係止突起２４Ｋが係止されている。そして、図１に示すように、係止突起２４Ｋとコーナー係合壁２５との間で第１側壁１１に備えた後述のコーナー係合壁１１Ｔを挟んで固定している。なお、第１側壁１１を内側に回動する際には、ロック片２４を外側に撓ませて係止突起２４Ｋによるコーナー係合壁１１Ｔの係止を解除すればよい。
【００２０】
各第２側壁２１には、側壁本体２１Ｓのうち折畳コンテナー１０を折り畳状態にした際に第１側壁１１に重なる両端部を、第１側壁１１に重ならない中間部に比べて外側に窪ませて側壁受容凹部２７，２７が形成され、第１側壁１１，１１に重なる部分と重ならない部分との境界が傾斜面２７Ｓになっている。また、別の見方をすれば、第２側壁２１には、その長手方向のうち折畳コンテナー１０を折畳状態にした際に、第１側壁１１に重ならない中間部の内面を、第１側壁１１に重なる両端部に比べて内側に突出させて内側張出部２７Ｚが形成されている。そして、折畳コンテナー１０を折畳状態（図１１参照）にした際に、各第２側壁２１に各第１側壁１１が受容されると共に、第１側壁１１，１１同士の間の空間に、各第２側壁２１の内側張出部２７Ｚが受容されるようになっている。
【００２１】
図１に示すように、第２側壁２１の内側張出部２７Ｚには、その長手方向に沿って複数の仕切溝２１Ｍが形成されている。各仕切溝２１Ｍは、内側張出部２７Ｚの上面寄り位置から上面（即ち、内側段差面２１Ｄ）に亘って上下方向に延び、上方と内方とに開放している。また、図１に示すように、底壁３０の長手方向において第２側壁２１の各仕切溝２１Ｍと同じ位置には、それぞれ１対ずつの仕切溝３０Ｍ（図１には、１つずつの仕切溝３０Ｍのみが示されている）が形成されている。なお、側壁本体２１Ｓの外面では、仕切溝２１Ｍの裏側部分が外側に膨出して側面突条２１Ｚになっている。
【００２２】
図１２には、折畳コンテナー１０内に組み付け可能な仕切板５０が示されている。仕切板５０は、全体が四角形の平板形状をなし、その両側部における上端部から側方に１対の側部突起５１，５１が張り出されると共に、下端部における両端寄りの２位置から下方に１対の下部突起５２，５２が張り出している。そして、図１３に示すように、仕切板５０の両側部（詳細には、側部突起５１，５１）が、互いに対向した任意の仕切溝２１Ｍ，２１Ｍに挿入して係合されると共に、仕切板５０の下端部（詳細には、下部突起５２，５２）が仕切溝３０Ｍに挿入して係合され、仕切板５０が折畳コンテナー１０の長手方向の任意の位置に位置決めされる。
【００２３】
図４に示すように、第１側壁１１の外面リブ１１Ｌは、側壁本体１１Ｓの縁部全体に形成されると共に、側壁本体１１Ｓの上縁部と両側縁部においては、外面リブ１１Ｌが対をなして平行に延びている。また、第１側壁１１の両側面からは、両側方に向けてコーナー係合壁１１Ｔ，１１Ｔが張り出している。コーナー係合壁１１Ｔは、第１側壁１１の側面における下端寄り位置から上端寄り位置に亘って延びている。そして、前述したようにこのコーナー係合壁１１Ｔが第２側壁２１のコーナー係合壁２５と係止突起２４Ｋとの間に挟持される。
【００２４】
第１側壁１１の外面には、持ち手突部１４が形成されている。持ち手突部１４は、第１側壁１１のうち横方向の両端部を除いた中間部で横方向に延びている。詳細には、持ち手突部１４は、第１側壁１１の上縁部における１対の外面リブ１１Ｌのうち下側の外面リブ１１Ｌの中間部を両端部より若干高くしてなる天井壁部１４Ａと、その天井壁部１４Ａの横方向の両端部から下方に垂下した１対の側壁部１４Ｂ，１４Ｂと、天井壁部１４Ａの先端縁から下方に垂下され、両端部が側壁部１４Ｂ，１４Ｂに接続された前面壁１４Ｃとからなり、下面側が開放している。そして、折畳コンテナー１０を組立状態にした際に、両第１側壁１１，１１の持ち手突部１４，１４にそれぞれ左右の指先を差し込んで或いは宛がって折畳コンテナー１０を持ち上げることができる。
【００２５】
詳細には、図５に示すように、前面壁１４Ｃは、天井壁部１４Ａのうち若干側壁本体１１Ｓ側に引っ込んだ位置から斜め外側下方に垂下されて、下方に向かうに従って側壁本体１１Ｓから離れるように傾斜している。これにより、指先を持ち手突部１４内に差し込んだ際に、指先の腹の部分が前面壁１４Ｃの内側に密着し易くなっている。また、前面壁１４Ｃは、下端部で水平方向外側に屈曲している。これにより、持ち手突部１４の下端部が指先に食い込むことを防いでいる。ここで、前面壁１４Ｃのうち下端部で水平方向外側に屈曲した部分の先端面と、天井壁部１４Ａの先端面と、さらには、側壁部１４Ｂの先端面とは、全て外面リブ１１Ｌの先端面と平行になって側壁本体１１Ｓから同じ距離Ｌ１（図５及び図６参照）だけ外側に離れた位置に配置されている。即ち、本実施形態の第１側壁１１では、持ち手突部１４の外向き端面が横長の帯状をなして第１側壁１１における外面リブ１１Ｌの先端面から突出量Ｌ１だけ外側に突出している。
【００２６】
上記した持ち手突部１４における外面リブ１１Ｌの先端面からの突出部分に対応して、図７に示すように、第２側壁２１における側壁受容凹部２７の内面には、持ち手突部受容溝２８が陥没形成されている。持ち手突部受容溝２８は、側壁受容凹部２７の内面のうち折畳状態にした際に持ち手突部１４に対向する部分に形成され、側壁受容凹部２７の内面における上下方向の中間部から上端部に亘って延びている。また、持ち手突部受容溝２８の深さは、第１側壁１１における外面リブ１１Ｌの先端面からの持ち手突部１４の突出量Ｌ１と略同一になっている。なお、第２側壁２１における側壁本体２１Ｓの外面では、持ち手突部受容溝２８の裏側部分が突出して側面突条２１Ｘになっている。
【００２７】
各第１側壁１１の上面には、その横方向における両端部を段付き状に陥没させてコーナー上面凹部１５Ａ，１５Ａが形成されている。コーナー上面凹部１５Ａのうち第１側壁１１の中央寄りの段差部分は、第１側壁１１の上面を斜めに横切っている。そして、その斜めに横切った部分で、コーナー上面凹部１５Ａの上面から第１側壁１１の上面に亘って傾斜壁１５Ｓが形成されている。
【００２８】
第１側壁１１の上端部には、両コーナー上面凹部１５Ａ，１５Ａの外側を覆う壁部を外面リブ１１Ｌより外側に突出させて１対のコーナー外面突部１５，１５が形成されている。各コーナー外面突部１５は、コーナー上面凹部１５Ａの外側縁部から立ち上がり、コーナー外面突部１５の上面は第１側壁１１の全体の上面と面一になっている。また、コーナー外面突部１５のうち第２側壁２１側の側部先端面は、第１側壁１１においてコーナー係合壁１１Ｔが立ち上がった側面と面一になっている。また、コーナー外面突部１５のうち第２側壁２１から離れた側は、傾斜壁１５Ｓの延長線上に延びて傾斜している。そして、コーナー外面突部１５の側部先端面が第２側壁２１のコーナー係合壁２５の側部先端面に突き合わされ、これにより、第１側壁１１と第２側壁２１とが直交した各コーナー部には、コーナー外面突部１５及びコーナー係合壁２５と、角柱壁２１Ｃと傾斜壁１５Ｓとによって水平３方向を囲まれ、上方と内方とに開放したコーナー凹部１０Ａが形成されている。
【００２９】
図５及び図６に示すように、コーナー外面突部１５は、外面リブ１１Ｌの先端面に対して突出量Ｌ２だけ外側に突出している。このコーナー外面突部１５における外面リブ１１Ｌの先端面からの突出部分に対応して、図７に示すように、第２側壁２１における側壁受容凹部２７の内面には、外面突部受容凹部２９が陥没形成されている。外面突部受容凹部２９は、側壁受容凹部２７の内面のうち折畳状態にした際にコーナー外面突部１５に対向する部分に形成され、側壁受容凹部２７の内面における回動中心寄りの下端部に配置されている。また、外面突部受容凹部２９の深さは、外面リブ１１Ｌの先端面からのコーナー外面突部１５の突出量Ｌ２と略同一になっている。なお、第２側壁２１における側壁本体２１Ｓの外面では、外面突部受容凹部２９の裏側部分が突出して側面突部２１Ｙになっている。
【００３０】
さて、第２側壁２１における各側壁受容凹部２７の内面に、１対ずつの内面補強突部４１が形成されている。これら１対の内面補強突部４１，４１は、上下方向の延びた突条構造をなし、平行かつ横並びに配置されている。また、両内面補強突部４１，４１の長手方向の中間部は連絡壁４２によって連絡されている。詳細には、各内面補強突部４１，４１は、側壁受容凹部２７の内面における下端部より若干上側位置から内側段差面２１Ｄに亘って延びている。そして、図９及び図１０に示すように、折畳コンテナー１０を折り畳み状態にした際に、内面補強突部４１，４１が第１側壁１１のうち外面リブ１１Ｌに囲まれた部分に受容されるようになっている。
【００３１】
内面補強突部４１，４１同士の間の縦溝４０を、第２側壁２１の上下方向及び厚さ方向で前記した仕切溝２１Ｍと同一位置に配置され、これにより縦溝４０Ｍに仕切板５０の側部突起５１を挿入して係合可能になっている。詳細には、図７に示すように、内面補強突部４１，４１の先端面は、側壁受容凹部２７の内面と面一になっている。また、第２側壁２１の厚さ方向において、内面補強突部４１，４１の間の縦溝４０Ｍの奥面は、仕切溝２１Ｍの奥面とが同じ位置に配置され、内面補強突部４１，４１の間の縦溝４０Ｍの幅は、仕切溝２１Ｍの幅と略同一になっている。また、連絡壁４２は、丁度、仕切溝２１Ｍの下端部と同じ高さに配置されている。さらに、底壁３０には、縦溝４０Ｍに対応した位置に前記仕切溝３０Ｍが形成されている。これらにより、仕切溝２１Ｍに係合する仕切板５０を、内面補強突部４１，４１の間の縦溝４０Ｍにも係合させることができるようになっている。
【００３２】
図９に示すように、底壁３０の下面には、１対の長辺側の縁部に沿って下面突条３０Ｔ，３０Ｔが形成されている。また、底壁３０の下面における各コーナー部には、前記したコーナー凹部１０Ａに対応した形状のコーナー下面突部３９が形成されている。さらに、底壁３０の下面には、その外縁部を除いた略全体に台座部３８が突出形成されている。なお、台座部３８は、コーナー下面突部３９及び下面突条３０Ｔより底壁３０の下面からの突出量が大きくなっている。なお、折畳状態の折畳コンテナー１０の上に他の折畳コンテナー１０の積み上げた際に、台座部３８は下側の折畳コンテナー１０の底壁３０における第１側壁支持突部３１，３１の間に嵌合する。
【００３３】
本実施形態の折畳コンテナー１０の構成は以上である。次に、本実施形態の作用・効果について説明する。本実施形態の折畳コンテナー１０を組立状態（図１参照）にして複数積み上げた際には、下側の折畳コンテナー１０のコーナー上面凹部１５Ａを含むコーナー凹部１０Ａに、上側の折畳コンテナー１０の下面に形成されたコーナー下面突部３９が凹凸嵌合する。また、このとき、上側の折畳コンテナー１０の下面突条３０Ｔ，３０Ｔが下側の折畳コンテナー１０の外側段差面２１Ｔに係合する。これらにより、折畳コンテナー１０，１０同士の横ずれが防がれる。また、組立状態の折畳コンテナー１０は、各第１側壁１１に形成された持ち手突部１４に下方から指を掛けて持ち上げることができる。さらに、仕切板５０を折畳コンテナー１０の長手方向における任意の位置に差し込んで仕切溝２１Ｍ，３０Ｍに係合することで、折畳コンテナー１０内を所望の大きさの複数の空間に区画することができる。
【００３４】
折畳コンテナー１０を組立状態から折畳状態にするには、図８〜図１０に示すように、底壁３０の上に両第１側壁１１，１１を左右対称に折り畳んでから、それらの上に１対の第２側壁２１，２１を左右対称に重ねて折り畳む。すると、各第２側壁２１の両端部の側壁受容凹部２７に第１側壁１１が受容されると共に、第１側壁１１，１１同士の間の空間に各第２側壁２１の中間部の内側張出部２７Ｚが受容される。このように本実施形態の折畳コンテナー１０では、側壁受容凹部２７を備えたことにより、第２側壁２１全体を同じ厚さにしたものに比べて、第１と第２の側壁１１，２１の重ね合わせ高さ、即ち、折畳状態の折畳コンテナー１０の高さを抑えることができる。別の見方をすれば、折畳状態の折畳コンテナー１０の高さを大きくせずに、第２側壁２１の中間部を厚くして強度アップを図ることが可能になる。
【００３５】
ここで、折畳状態の折畳コンテナー１０の高さを下げるために、第１側壁１１における側壁本体１１Ｓから外面リブ１１Ｌの突出量を小さくしても、第２側壁２１のうち側壁受容凹部２７の内面には持ち手突部受容溝２８が陥没形成されているので、その持ち手突部受容溝２８に対応して、持ち手突部１４を外面リブ１１Ｌより外側位置まで突出させることができる。これにより、折畳状態の折畳コンテナー１０の高さを下げても、持ち手突部１４に指が掛け難くなることがなくなる。
【００３６】
また、折畳コンテナー１０の第２側壁２１には、側壁受容凹部２７の内面における下端部に外面突部受容凹部２９が陥没形成されているので、その外面突部受容凹部２９に対応してコーナー上面凹部１５Ａの外側を覆う壁部を外面リブ１１Ｌより外側に突出させてコーナー外面突部１５を形成することができる。そして、そのコーナー外面突部１５を第１側壁１１の横方向で各第２側壁２１に当接させることで、コーナー上面凹部１５Ａを設けたにも拘わらず、折畳コンテナー１０のコーナー部における強度を高くすることができる。
【００３７】
また、各第２側壁２１における側壁受容凹部２７の内面には、内面補強突部４１が突出形成されているので、その内面補強突部４１によって第２側壁２１の両端部の強度アップも図られる。折畳状態にした際には、内面補強突部４１が第１側壁１１における外面リブ１１Ｌ同士の間に受容されるので、その内面補強突部４１によって、折畳状態の折畳コンテナー１０の高さが増すことはない。
【００３８】
このように本実施形態の折畳コンテナー１０では、各第２側壁２１のうち中間部を内側に突出させてなる内側張出部２７Ｚによって第２側壁２１の中間部の強度アップが図られると共に、第２側壁２１のうち両端部から突出した内面補強突部４１によって第２側壁２１の両端部の強度アップも図られる。しかも、それら側壁受容凹部２７Ｚ及び内面補強突部４１によって、折畳状態の折畳コンテナー１０の高さが増すことはない。即ち、折畳コンテナー１０の折畳状態の高さを抑えて長辺側の側壁（第２側壁２１）の強度を従来より向上させることが可能になる。また、その第２側壁２１を補強するための内面補強突部４１を図１３に示すように仕切板５０の位置決めにも兼用することができると共に、その内面補強突部４１に位置決めされる仕切板５０と、第２側壁２１の仕切溝２１Ｍにて位置決めされる仕切板５０とを同一部品にして部品点数の削減を図ることができる。
【００３９】
［第２実施形態］
本実施形態の折畳コンテナー１０Ｗは、図１４に示されており、内面補強突部４１Ｚの長さが前記第１実施形態の内面補強突部４１と異なる。即ち、本実施形態の内面補強突部４１Ｚは、上下方向において仕切溝２１Ｍが延びた範囲と略同一の範囲に亘って延びている。そして、内面補強突部４１Ｚ，４１Ｚの下端部同士が連絡壁４２によって連絡されている。本実施形態によっても前記第１実施形態と同様の効果を奏する。
【００４０】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００４１】
（１）前記第１及び第２の実施形態では、内面補強突部４１が第２側壁２１の各側壁受容凹部２７の内面において１対ずつ形成されていたが、内面補強突部は各側壁受容凹部に１つ又は３つ以上形成してもよい。
【００４２】
（２）前記第１及び第２の実施形態では内面補強突部４１が上下方向に延びていたが、内面補強突部は横方向に延びていてもよいし、斜め上下方向に延びていてもよいし、格子状になっていてもよい。
【図面の簡単な説明】
【００４３】
【図１】本発明の第１実施形態に係る折畳コンテナーの斜視図
【図２】アーム受容部の斜視図
【図３】第２側壁の斜視図
【図４】第１側壁の斜視図
【図５】図４のＡ−Ａ切断面における第１側壁の側断面図
【図６】第１側壁の底面図
【図７】組立状態の折畳コンテナーの一部を拡大した斜視図
【図８】第１側壁を折り畳み、第２側壁を折り畳む途中の状態を示した斜視図
【図９】第１側壁を折り畳み、第２側壁を折り畳む途中の状態を示した斜視図
【図１０】第１側壁を折り畳み、第２側壁を折り畳む途中の状態を示した斜視図
【図１１】折畳状態の折畳コンテナーの斜視図
【図１２】仕切板の斜視図
【図１３】仕切板を組み付けた状態の折畳コンテナーの斜視図
【図１４】第２実施形態の折畳コンテナーの一部を拡大した斜視図
【符号の説明】
【００４４】
１０，１０Ｗ    折畳コンテナー
１１    第１側壁
１１Ｌ    外面リブ
１１Ｓ    側壁本体
１４    持ち手突部
１５    コーナー外面突部
１５Ａ  コーナー上面凹部
２１    第２側壁
２１Ｌ    外面リブ
２１Ｍ    仕切溝
２１Ｓ    側壁本体
２７    側壁受容凹部
２７Ｚ  内側張出部
２８    手突部受容溝
２９    外面突部受容凹部
３０    底壁
３９    コーナー下面突部
４０    側壁内面補強部
４０Ｍ    縦溝
４１，４１Ｚ    内面補強突部
４２    連絡壁
５０    仕切板
【図１】
0004931075.tif 000002
【図２】
0004931075.tif 000003
【図３】
0004931075.tif 000004
【図４】
0004931075.tif 000005
【図５】
0004931075.tif 000006
【図６】
0004931075.tif 000007
【図７】
0004931075.tif 000008
【図８】
0004931075.tif 000009
【図９】
0004931075.tif 000010
【図１０】
0004931075.tif 000011
【図１１】
0004931075.tif 000012
【図１２】
0004931075.tif 000013
【図１３】
0004931075.tif 000014
【図１４】
0004931075.tif 000015